(57)【要約】【課題】売主が安全に売却できるとともに、買主のコストを抑制できる中古自動車の売買仲介システムを提供する。【解決手段】中古自動車の売主と買主とを仲介する中古自動車の売買仲介システム１である。そして、特定情報Ｆ１と非特定情報Ｆ２と買主特定情報Ｆ３と買主非特定情報Ｆ４とを記憶する記憶手段２１と、仲介者側に配置されて記憶手段２１に査定情報を入力する査定情報入力手段３１と、非特定情報Ｆ２のみを買主候補に開示する第１の開示手段４１と、買主候補によって開示された査定価格及び買主非特定情報Ｆ４のみを売主に開示する第２の開示手段５１と、買主候補の中から買主を選択する選択手段７と、を備えている。第１の開示手段４１が、選択された買主に特定情報Ｆ１を開示するのと同時に、第２の開示手段５１が、売主に買主特定情報Ｆ３を開示するようにされている。【選択図】図１
2015082320.tif 000002
【特許請求の範囲】
【請求項１】
中古自動車の売主と買主とを仲介する中古自動車の売買仲介システムであって、
前記中古自動車及び前記売主を特定する特定情報と、中古自動車の査定情報を含む前記中古自動車及び前記売主を特定しない非特定情報と、買主候補を特定する買主特定情報と、前記買主候補を特定しない買主非特定情報と、を記憶する記憶手段と、
仲介者側に配置されて前記記憶手段に前記査定情報を入力する査定情報入力手段と、
前記非特定情報のみを前記買主候補に開示する第１の開示手段と、
前記買主候補によって開示された査定価格及び前記買主非特定情報のみを売主に開示する第２の開示手段と、
前記買主候補の中から買主を選択する選択手段と、を備え、
前記第１の開示手段が、選択された前記買主に前記特定情報を開示するのと同時に、前記第２の開示手段が、前記売主に前記買主特定情報を開示するようにされている、中古自動車の売買仲介システム。
【請求項２】
前記記憶手段は、前記中古自動車１台につき１つの前記査定情報を記憶することを特徴とする請求項１に記載の中古自動車の売買仲介システム。
【請求項３】
前記特定情報は、前記中古自動車の登録番号、及び売主の名前、住所、電話番号、並びにメールアドレスを含むことを特徴とする請求項１又は請求項２に記載の中古自動車の売買仲介システム。
【請求項４】
中古自動車の売主と買主とを仲介する中古自動車の売買仲介システムであって、
前記中古自動車及び前記売主を特定する特定情報と、中古自動車の査定情報を含む前記中古自動車及び前記売主を特定しない非特定情報と、買主候補を特定する買主特定情報と、前記買主候補を特定しない買主非特定情報と、を記憶する記憶手段と、
仲介者側に配置されて前記記憶手段に前記査定情報を入力する査定情報入力手段と、
前記非特定情報のみを前記買主候補に開示する第１の開示手段と、
前記買主候補によって開示された査定価格及び前記買主非特定情報のみを売主に開示する第２の開示手段と、を備え、
前記買主候補の中から買主が選択されると、前記第１の開示手段が、選択された前記買主に前記特定情報を開示するのと同時に、前記第２の開示手段が、前記売主に前記買主特定情報を開示するようにされている、中古自動車の売買仲介システム。
【請求項５】
中古自動車の売主と買主とを仲介する中古自動車の売買仲介方法であって、
仲介者側に配置された査定情報入力手段を介して記憶手段に査定情報が入力されるステップと、
前記記憶手段が、中古自動車及び売主を特定する特定情報と、前記査定情報を含む中古自動車及び売主を特定しない非特定情報と、買主候補を特定する買主特定情報と、買主候補を特定しない買主非特定情報と、を記憶するステップと、
第１の開示手段が、前記非特定情報のみを買主候補に開示するステップと、
前記買主候補に開示するステップの後に、第２の開示手段が、前記買主候補によって開示された査定価格及び前記買主非特定情報を売主に開示するステップと、
前記売主に開示するステップの後に、前記第１の開示手段が、前記買主に前記特定情報を開示するのと同時に、前記第２の開示手段が、前記売主に前記買主特定情報を開示するステップと、を含む中古自動車の売買仲介方法。
【発明の詳細な説明】
【技術分野】
【０００１】
本発明は、中古自動車の売買仲介システムに関するものである。
【背景技術】
【０００２】
従来から、中古自動車を下取りに出したり、売ったりする場合に、売主が買主に依頼して査定・見積もりをすることが行われている。近年では、売主は、インターネットを介して買主（買取業者）を探し、買主に査定・見積もりを依頼することが多い。
【０００３】
例えば、特許文献1のシステムでは、サーバとなるコンピュータは査定価格決定基準項目と、この査定価格決定基準項目に対応した査定価格とを記憶させた記憶手段を備えている。そして、ユーザ端末から情報を入力すれば、中古自動車の査定価格が表示されるように構成されている。さらに、ユーザが買取業者の情報を希望すれば、買取業者の情報が表示されるようになっている。
【先行技術文献】
【特許文献】
【０００４】
【特許文献１】特開２００1−３５７２５６号公報
【発明の概要】
【発明が解決しようとする課題】
【０００５】
ところで、前述した特許文献1のシステムでは、売主は買主（買取会社）と直接交渉することになる。
【０００６】
しかしながら、売主にとっては以下のような問題があった。すなわち、（１）何件もの買取会社に自宅やオフィスの住所や氏名、連絡先等の個人情報を教えなければならない、（２）各社それぞれと面談のうえ、商談をしなくてはならない、（３）査定金額を聞いた後、熱心に営業されるのが煩わしい、（４）自分の車を何人にも触られるのが嫌だ、（５）時間を多くとられる、といった不安や面倒も多い。
【０００７】
さらに、中古自動車の査定や売却が初めてで、取引のことがまったくわからないため、（１）近所にある中古車店に売ってしまう、（２）知り合い、その紹介や友人、親戚などに言い値で売ってしまう、（３）点検に出しているティーラーの担当者にすべて任せてしまう、（４）テレビでコマーシャルを見たことがあった、などの理由から、１社のみの査定で済ませてしまい、他社の査定価格と比較せずに売却してしまうことがあった。
【０００８】
また、買主にとっては以下のような問題があった。すなわち、中古自動車の売却を検討している見込み客獲得のための（１）雑誌やインターネット、ラジオ、テレビなどへの多大な広告料、（２）その反響に対する窓口受付センターの設置、（３）一括査定は基本的に買手の自宅、オフィス等へ訪問するので出張査定のための人の募集やその人件費、さらに（４）査定技術取得のための教育費、（５）現場への交通費やガソリン代、（６）商談不成立や査定ミスなどの大きなコストがかかっている。
【０００９】
上述のような事情に鑑みて、本発明は、売主が安全に売却できるとともに、買主のコストを抑制できる中古自動車の売買仲介システム及び売買仲介方法を提供することを目的としている。
【課題を解決するための手段】
【００１０】
前記目的を達成するために、本発明の中古自動車の売買仲介システムは、中古自動車の売主と買主とを仲介する中古自動車の売買仲介システムであって、前記中古自動車及び前記売主を特定する特定情報と、中古自動車の査定情報を含む前記中古自動車及び前記売主を特定しない非特定情報と、買主候補を特定する買主特定情報と、前記買主候補を特定しない買主非特定情報と、を記憶する記憶手段と、仲介者側に配置されて前記記憶手段に前記査定情報を入力する査定情報入力手段と、前記非特定情報のみを前記買主候補に開示する第１の開示手段と、前記買主候補によって開示された査定価格及び前記買主非特定情報のみを売主に開示する第２の開示手段と、前記買主候補の中から買主を選択する選択手段と、を備え、前記第１の開示手段が、選択された前記買主に前記特定情報を開示するのと同時に、前記第２の開示手段が、前記売主に前記買主特定情報を開示するようにされている。
【発明の効果】
【００１１】
このように、本発明の中古自動車の売買仲介システムは、記憶手段と第１の開示手段と第２の開示手段と相互開示手段とを備えている。そして、非特定情報のみが買主候補に開示され、買主候補によって開示された査定価格及び買主非特定情報のみが売主に開示される。買主候補の中から買主が選択されると、第１の開示手段が買主に特定情報を開示するのと同時に、第２の開示手段が売主に買主特定情報を開示するようにされている。
【００１２】
この構成によれば、売主が買主候補から買主を選択するまでは、買主が売主及び中古自動車を特定することはできない。したがって、売主は中古自動車を安全に売却できる。さらに、仲介者によって査定が実施されるため、買主のさまざまなコストを抑制できる。
【図面の簡単な説明】
【００１３】
【図１】実施例の中古自動車の売買仲介システムの構成を説明する概略説明図である。
【図２】実施例の中古自動車の売買仲介システムのフローチャートである。
【発明を実施するための形態】
【００１４】
以下、本発明の実施の形態について図面を参照して説明する。
【実施例１】
【００１５】
（構成）
まず、図１を用いて、本実施例の中古自動車の売買仲介システム１の構成を説明する。
本発明の中古自動車の売買仲介システム１は、図１に示すように、サーバ２と、仲介者端末３と、複数の買主端末４と、売主端末５と、を備えており、これらがインターネット６を介して互いに接続されて構成されている。
【００１６】
サーバ２は、いわゆるファイルサーバであり、記憶手段２１に記憶されているデータを端末３、４、５に提供する。サーバ２は、物理的に単一のコンピュータであってもよいし、複数のコンピュータ等から構成されるクラウドコンピューティング技術を用いたものであってもよい。
【００１７】
記憶手段２１は、ハードディスクやＳＳＤなどの記憶媒体である。記憶手段２１には、中古自動車及び売主を特定する特定情報Ｆ１と、中古自動車の査定情報を含む中古自動車及び売主を特定しない非特定情報Ｆ２と、買主候補を特定する買主特定情報Ｆ３と、買主候補を特定しない買主非特定情報Ｆ４と、が記憶される。
【００１８】
特定情報Ｆ１は、中古自動車の登録番号、及び売主の名前、住所、電話番号、並びにメールアドレスを含む。特定情報Ｆ１は、車検証や売主の申告に基づいて仲介者端末３又は売主端末５からサーバ２に入力することができる。特定情報Ｆ１は、商談時まで買主（買主候補）に開示されない。
【００１９】
非特定情報Ｆ２は、査定票に記載されている項目のうち上述の特定情報Ｆ１を除いた項目（車種、車両状態、走行距離、車体色、グレード、型式指定類別番号等を記載したもの）ｂ１、及び高く売れるためのポイントとなる純正オプション、社外オプション、並びに社外品ドレスアップｂ２、車検証の所有権の情報ｂ３、ローン残債の有無、概算、会社名ｂ４、売却の時期や売却の意志の強さｂ５（例えば、３〜５段階にする。１００パーセント、７５パーセント、５０パーセント、２５パーセント以下など。）、売却する予定の時期（大至急、１週間以内、今月中、納車までに、未定など）、ワンオーナーか否か、及び、中古車の写真画像・動画など、買い手が知りたい情報を含む。
【００２０】
この他、非特定情報Ｆ２には、（ｉ）支払方法の種別（現金で当日、現金で後日、振込予定日）を含むこともできるし、さらに（ｉｉ）ローン残債がある場合のサービスを売主が希望するか否か、及び（ｉｉｉ）名義変更の有無等を売主が希望するか否か、という項目を含むこともできる。ここにおいて、ローン残債がある場合のサービスとは、オーバーローンの場合に別のローンを組むサービス、つまり、ローン残債よりも買取価格が低い場合に、買主が不足額に相当する別のローンを用意したうえで買い取るサービスをいう。また、名義変更の有無等とは、買取業者が買い取った後に、名義変更をするか／しないか、及び名義変更するまでの日数をいう。
【００２１】
この他、非特定情報Ｆ２には、実際の商談で売主に訪問できるかどうか、車両引き渡しまでの期間、代車を出せるかどうか、なども含むことができる。
【００２２】
非特定情報Ｆ２は、インターネット６を介して買主（買主候補）に開示される。さらに、開示される非特定情報Ｆ２として、売主が設定する希望買取価格（最低価格）を設定することも可能である。
【００２３】
非特定情報Ｆ２は、仲介者である専門の査定士が実際に中古自動車を見て仲介者端末３からサーバ２に入力することができる。この査定士は、特定の自動車会社や買取業者に属しておらず、公平中立の立場から査定のみを実施する専門家である。
【００２４】
買主特定情報Ｆ３は、買主（買主候補）の名前（名称）、住所、電話番号、並びにメールアドレスを含む。買主特定情報Ｆ３は、商談時まで売主に開示されない。
【００２５】
買主非特定情報Ｆ４は、買取価格ａ１、支払い方法（現金か、後日の振込みか）ａ２、商談は来店希望か出張して訪問タイプかａ３、ローン中の車の手続きについてａ４、売却後の名義変更についてａ５、税金についての説明ａ６、などを含む。さらに、買主非特定情報Ｆ３には、前述したような、支払方法の種別の他、ローン残債がある場合のサービスを買主が提供するか否か、名義変更の有無等を買主が提供するか否か、という項目を含むこともできる。買主非特定情報Ｆ４は、インターネット６を介して売主に開示される。
【００２６】
仲介者端末３は、モニタ、本体、キーボード、及びマウスを有するデスクトップ型またはノート型のパーソナルコンピュータである。仲介者端末３は、携帯電話、スマートフォン、又はタブレットなどであってもよい。仲介者端末３は、中古自動車の査定情報をサーバ２に入力するための査定情報入力手段３１を備えている。
【００２７】
買主端末４は、モニタ、本体、キーボード、及びマウスを有するパーソナルコンピュータである。買主端末４は、携帯電話、スマートフォン、又はタブレットなどであってもよい。買主端末４は、非特定情報Ｆ２のみを買主候補に開示する第１の開示手段４１を備えている。
【００２８】
売主端末５は、モニタ、本体、キーボード、及びマウスを有するパーソナルコンピュータである。売主端末５は、携帯電話、スマートフォン、又はタブレットなどであってもよい。売主端末５は、買主非特定情報Ｆ４のみを売主に開示する第２の開示手段５１を備えている。
【００２９】
そして、本実施例では、サーバ２、仲介者端末３、又は売主端末５に、買主候補の中から買主を選択する選択手段７が配置されている。選択手段７によって、買主候補が提示した買取価格ａ１、及び各項目ａ２〜ａ６に基づいて、１社又は複数社が自動的に選択される。なお、複数の買主候補が選択された場合には、売主は買主候補の中から１社のみを選択することもできる。選択手段７による選択は、例えば、あらかじめ設定した最低条件を満足することで実施してもよいし、項目ａ１〜ａ６を重み付けして足し合わせたポイントによって実施してもよい。また、最低入札価格を設定することもできるし、最高入札価格の買主候補を１社だけ自動的に選択するようにしてもよい。
【００３０】
（作用）
次に、図２のフローチャートを用いて、本実施例の中古自動車の売買仲介システム１の流れについて説明する。
【００３１】
（１）売主が、中古自動車の査定を専門の査定士に依頼する。依頼は、例えば、電話、ＦＡＸやインターネットなどの連絡手段を用いて行う（ステップＳ１）。
【００３２】
（２）専門の査定士が、現地で現車を見て、それぞれの項目ｂ１〜ｂ５を査定する（ステップＳ２）。
【００３３】
（３）特定情報Ｆ１、及び非特定情報Ｆ２が、仲介者端末３からサーバ２へ入力・記憶される（ステップＳ３）。
【００３４】
（４）非特定情報Ｆ２のみがインターネットを介してサーバ２に記憶され、第1の開示手段４１によってシステムのウェブサイトを通じて買主候補に開示される（ステップＳ４）。特定情報Ｆ１は、サーバ２に記憶させてもよいが、買主候補には開示しない。
【００３５】
（５）複数の買主候補によって、非特定情報Ｆ２を公開しているウェブサイトが閲覧される。閲覧は無料とする。
【００３６】
（６）査定票の主要な項目を含む非特定情報Ｆ２を見た買主候補によって、ウェブサイトを通じてサーバ２に買取価格ａ１、各項目ａ２〜ａ６が入力・記憶され、第２の開示手段５１によってシステムのウェブサイトを通じて売主に開示される（ステップＳ５）。すなわち、買主特定情報Ｆ３及び買主非特定情報Ｆ４が入力・記憶され、買主非特定情報Ｆ４のみが開示される。
【００３７】
（７）選択手段７によって、買主候補が提示した買取価格ａ１、及び各項目ａ２〜ａ６に基づいて、１社又は複数社が選択される（ステップＳ６）。なお、複数社が選択された場合には、売主はさらに1社のみを選択することができる。
また、あらかじめ設定した最低条件を満たさないような場合には、選択手段７は、買主を選択しない。
【００３８】
（８）第１の開示手段４１によって買主に特定情報Ｆ１が開示されるのと同時に、第２の開示手段５１によって売主に買主特定情報Ｆ３が開示される（ステップＳ７）。これにより、互いの連絡先が交換される。また、この段階で、仲介者から買主に対して手数料が課金される。仲介者から売主には手数料は課金されない。売主が査定票を自己使用したい場合（売主自身がインターネットで個人間売買をする場合など）は、売主に課金することもできる。
【００３９】
（９）売主と買主との間の直接商談となる（ステップＳ８）。ただし、現車と査定票その他の情報との間に特に差異がないにもかかわらず不正な減額がされ、取引内容について売主から苦情の申し立てがあった場合には、規定に基づいて対処し、両者を仲裁する。これによって、公平性・中立性が担保される。
【００４０】
（効果）
次に、本実施例の中古自動車の売買仲介システム１の効果を列挙して説明する。
【００４１】
（１）本実施例の中古自動車の売買仲介システム１は、中古自動車及び売主を特定する特定情報Ｆ１と、中古自動車の査定情報を含む中古自動車及び売主を特定しない非特定情報Ｆ２と、買主候補を特定する買主特定情報Ｆ３と、買主候補を特定しない買主非特定情報Ｆ４と、を記憶する記憶手段２１と、仲介者側に配置されて記憶手段２１に査定情報を入力する査定情報入力手段３１と、非特定情報Ｆ２のみを買主候補に開示する第１の開示手段４１と、買主候補によって開示された査定価格及び買主非特定情報Ｆ４のみを売主に開示する第２の開示手段５１と、買主候補の中から買主を選択する選択手段７と、を備えている。そして、第１の開示手段４１が、選択された買主に特定情報Ｆ１を開示するのと同時に、第２の開示手段５１が、売主に買主特定情報Ｆ３を開示するようにされている。
【００４２】
このように、売主が買主候補から買主を選択するまでは、買主が売主及び中古自動車を特定することはできない。したがって、売主は中古自動車を安全に売却できる。さらに、仲介者によって査定が実施されるため、買主のさまざまなコストを抑制できる。
【００４３】
すなわち、（１）売主及び買主ともに個人情報が保護される、（２）１社で査定するだけなので気軽に査定の申し込みができる、（３）査定票が付いているので買主も正確な査定ができる、（４）売主は数社から見積もりをとることができる（適正価格がわかる）、（５）１社ずつ断る煩わしさがない、（６）最終的な商談が成立しても成立しなくても売主の負担がない、（７）成立しない場合には買主の負担がない、といった効果がある。
【００４４】
また、仲介者である査定士が査定するため、個人情報やプライバシーをしっかり守ったうえで、インターネットによる一括査定を行うことができる。ここにおいて、仲介者は特定の自動車会社に属しておらず、公平中立の立場で査定のみを実施する会社である。つまり、査定はするものの金額提示はせず、あくまでも査定価格を出すのは数十社の買取会社（買主）となる。買取会社へ伝えるのは査定価格を出すうえで必要な情報のみとなる。
【００４５】
査定においても、売主自身が気づいていない高く売れるポイントも探し出して査定票に記入され、買主に対して査定額アップのアピールがなされる。さらに、査定は専門の査定士が現車を見て行うため、買主（買取会社）との商談の段階で大きく買取価格が変わることはない、という効果も奏する。
【００４６】
さらに、買主特定情報Ｆ３を伏せることで、複数の買主候補が選択された場合に、売主が中小企業を選択しやすくなり、中小企業を支援しやすい、という効果もある。
【００４７】
（２）また、サーバ２の記憶手段２１は、中古自動車１台につき１つの査定情報を記憶するようにされている。すなわち、査定士のみによって一元的に査定が実施・管理されることによって、買取会社ごとに実施していた重複した査定活動をする必要がなくなる。見方を変えると、複数の買取会社によって査定の費用を分担して負担しているといえる。
【００４８】
（３）さらに、特定情報は、中古自動車の登録番号、及び売主の名前、住所、電話番号、並びにメールアドレスを含む。特に、中古自動車の場合には、これらの各要素は相互にリンクしているため、いずれか１つのみが開示されても、売主が特定されるおそれがある。そこで、これらの情報をすべて非公開とすることで、売主の安全を図っている。
【００４９】
（４）本実施例の中古自動車の売買仲介方法は、中古自動車の売主と買主とを仲介する中古自動車の売買仲介方法であって、仲介者側に配置された査定情報入力手段３１を介して記憶手段２１に査定情報が入力されるステップＳ２と、記憶手段２１が、中古自動車及び売主を特定する特定情報Ｆ１と、査定情報を含む中古自動車及び売主を特定しない非特定情報Ｆ２と、買主候補を特定する買主特定情報Ｆ３と、買主候補を特定しない買主非特定情報Ｆ４と、を入力・記憶するステップＳ３と、第１の開示手段４１が、非特定情報Ｆ２のみを買主候補に開示するステップＳ４と、買主候補に開示するステップＳ４の後に、第２の開示手段５１が、買主候補によって開示された査定価格及び買主非特定情報Ｆ４を売主に開示するステップＳ５と、売主に開示するステップＳ５の後に、第１の開示手段４１が、買主に特定情報Ｆ１を開示するのと同時に、第２の開示手段５１が、売主に買主特定情報Ｆ３を開示するステップＳ７と、を含む。
【００５０】
このため、買主候補が売主及び中古自動車を特定することはできない。そして、買主特定情報Ｆ３の開示と同時に特定情報Ｆ１が開示される。したがって、売主は中古自動車を安全に売却できる。さらに、仲介者によって査定が実施されるため、買主のさまざまなコストを抑制できる。
【００５１】
以上、図面を参照して、本発明の実施例を詳述してきたが、具体的な構成は、この実施例に限らず、本発明の要旨を逸脱しない程度の設計的変更は、本発明に含まれる。
【００５２】
例えば、実施例では、選択手段７によって買主候補の中から買主が選択される場合について説明したが、選択手段７を用いずに、売主が買主候補の査定価格、内容、条件に基づいて、買主を選択することもできる。この場合、売主によるサーバ２への買主の情報入力を受けて、サーバ２が第１の開示手段４１及び第２の開示手段５１に指示して、第１の開示手段４１が選択された買主に特定情報Ｆ１を開示するのと同時に、第２の開示手段５１が売主に買主特定情報Ｆ３を開示する。
【００５３】
さらに、実施例では、買主特定情報Ｆ３は売主に開示しないとして説明したが、これに限定されるものではなく、買主（買主候補）が承諾すれば買主特定情報Ｆ３を売主に開示するように構成してもよい。
【００５４】
また、本発明の中古自動車の売買仲介方法では特に言及しなかったが、この方法に選択手段７による選択するステップをさらに追加することもできる。選択するステップを追加することで、特定情報Ｆ１が複数の買主候補に開示されることを抑制できる。
【００５５】
さらに、実施例では、（Ａ）第１の開示手段４１による特定情報Ｆ１の開示及び第２の開示手段５１による買主特定情報Ｆ３の開示（ステップＳ７）の時点で、１回のみ買主に課金する場合（例えば１万円）について説明したが、これに限定されるものではない。例えば、以下の（Ｂ）又は（Ｃ）であってもよい。すなわち、（Ｂ）ステップＳ７での課金の金額を抑えて（例えば５千円）、商談が成立した時点で成約料として２回目の課金（例えば１万円）をしてもよい。さらに、（Ｃ）査定価格を入力するステップＳ５において、買主候補が「査定価格を入力する」を選択すると、その時点で課金（例えば２千円）され、同時に査定時に撮影した車両の写真や動画が閲覧でき、それを参考にして買取価格を入力するように構成してもよい。つまり、買取価格の入力段階での課金である。その後は、（Ｂ）と同様の流れとしてよい。
【００５６】
そして、実施例では、買主特定情報Ｆ３及び買主非特定情報Ｆ４が、非特定情報Ｆ２を閲覧した買主候補によって入力される場合について説明したが、これに限定されるものではない。買主特定情報Ｆ３及び買主非特定情報Ｆ４のうち買取価格等を除く項目は、あらかじめ入力しておいてもよい。買主候補（買取業者）は、所定の条件を満たす業者のみを登録制にすることもできる。
【符号の説明】
【００５７】
１          中古自動車の売買仲介システム
２          サーバ
２１        記憶手段
３          仲介者端末
３１        査定情報入力手段
４          買主端末
４１        第１の開示手段
５          売主端末
５１        第２の開示手段
６          インターネット
７          選択手段
Ｆ１        特定情報
Ｆ２        非特定情報
Ｆ３        買主特定情報
Ｆ４        買主非特定情報
【図１】
2015082320.tif 000003
【図２】
2015082320.tif 000004